(57)【要約】【課題】  ミラーによってモニタの映像を反射して映し出す場合の視認性を改善する。【解決手段】  表示部を２軸ヒンジにより回転可能に取り付けることにより、表示部を開いてモニタを視認することができる。【選択図】  図５
2016086243.tif 000002
【特許請求の範囲】
【請求項１】
表示部と、前記表示部により表示された画像を反射するミラーを保持するミラー保持部と、前記ミラーにより反射された画像を視認するためのレンズ鏡筒とを有し、
前記ミラー保持部は、前記表示部を開閉可能に接続する第１のヒンジ部と、前記ミラー保持部に前記レンズ鏡筒を開閉可能に接続する第２のヒンジ部とを備えることを特徴とする電子ビューファインダ装置。
【請求項２】
前記表示部の長辺側に前記第１のヒンジ部が設けられることを特徴とする請求項１に記載の電子ビューファインダ装置。
【請求項３】
前記第１のヒンジ部と前記第２のヒンジ部は、前記表示部を挟んで平行に配置されていることを特徴とする請求項１または２に記載の電子ビューファインダ装置。
【請求項４】
第１の位置と第２の位置を移動可能なロックノブを有し、前記ロックノブが前記第１の位置にあるときに前記表示部が前記ミラー保持部に固定され、前記ロックノブが前記第２の位置にあるときに前記表示部が前記ミラー保持部に対して開閉可能であることを特徴とする請求項１乃至３のいずれか１項に記載の電子ビューファインダ装置。
【請求項５】
請求項１乃至４のいずれか１項に記載の電子ビューファインダ装置を備えた撮像装置。
【発明の詳細な説明】
【技術分野】
【０００１】
本発明は、電子ビューファインダ装置および撮像装置に関するものである。
【背景技術】
【０００２】
従来、業務用に用いられるビデオカメラには、撮影している映像を映し出すための電子ビューファインダがカメラ本体に搭載されている。電子ビューファインダには、電子ビューファインダ内部に配置された表示部に映し出された映像をミラーにより用いて反射させ、反射した映像を拡大レンズにより拡大し、その映像を見るものがある。
【０００３】
そのような電子ビューファインダの使用形態として、以下の３種類の視認方法が提案されている。１つ目は、電子ビューファインダの先端に装着されたアイカップに接眼して、映像を見る『接眼モード』である。２つ目は、レンズを備えた鏡筒部を跳ね上げることによりミラーを露出させ、ミラーに反射した映像を見る『ミラー視認モード』である。３つ目は、ミラーおよびミラーを保持するためのカバーが配置されたミラーユニットを跳ね上げることにより表示部を露出させ、直接モニタの映像を見る『モニタ視認モード』である。これらの視認方法を撮影用途に合わせ使用している。
【０００４】
このような電子ビューファインダを備えた撮像装置として、特許文献１に記載されたものが提案されている。撮像装置本体に設けられた表示部と、本体部と光路をＬ字状に折り曲げるミラーを有している。さらに、ミラーが固定されたカバーを跳ね上げるヒンジと、レンズを保持した鏡筒部を跳ね上げるヒンジを有する。そして、ヒンジの跳ね上げにより、視認方法を変えることができる。
【先行技術文献】
【特許文献】
【０００５】
【特許文献１】特開２０１１−８７２５５号公報
【発明の概要】
【発明が解決しようとする課題】
【０００６】
しかしながら、上記従来例では、表示部が撮像装置本体の側面に取り付けられているため、上記視認モードのうち、モニタ視認モードにおいては、側面からモニタを見ることになり、正面を向いたままではモニタを直視することができないという問題があった。また、複数人で映像を確認する場合、ミラー視認モードで視認するが、この場合ミラーがカバーの奥に配置されているため、モニタを視認しづらいという問題があった。
【課題を解決するための手段】
【０００７】
本発明の電子ビューファインダ装置は、表示部と、前記表示部により表示された画像を反射するミラーを保持するミラー保持部と、前記ミラーにより反射された画像を視認するためのレンズ鏡筒とを有し、前記ミラー保持部は、前記表示部を開閉可能に接続する第１のヒンジ部と、前記ミラー保持部に前記レンズ鏡筒を開閉可能に接続する第２のヒンジ部とを備えることを特徴とする。
【発明の効果】
【０００８】
本発明によれば、ミラー反射を用いて光路を折り曲げる構造の電子ビューファインダ装置において、正面から表示部を視認する場合の視認性を向上させることができる。
【図面の簡単な説明】
【０００９】
【図１】本発明の実施形態に係わる撮像装置の全体図。
【図２】本発明の実施形態に係わる撮像装置のブロック図。
【図３】本発明の実施形態に係わる撮像装置のファインダー斜視図。
【図４】ファインダーの断面図。
【図５】ファインダーの形態図。
【図６】ファインダーの形態図。
【図７】ファインダーのロックを示す図。
【発明を実施するための形態】
【００１０】
以下、本発明の実施例について図を参照しながら説明する。図１は、撮像装置１００の全体図である。図１において、撮像装置本体１０１の内部には、情報処理等を行うＭＡＩＮ基板や、他の機器と接続するためのインターフェイスが配置されている。また、撮像装置本体１０１には、撮像レンズ１０２を交換可能に取り付けられるマウント部が設けられており、レンズを交換して撮影を行うことができる。
【００１１】
電子ビューファインダ装置１０３は、撮像装置本体１０１に対して回転可能なヒンジ（不図示）を介して取り外し可能に取り付けられている。また、電子ビューファインダ装置１０３の内部には、撮像装置１００によって撮影された映像を表示するための表示モニタ（不図示）が配置されている。
【００１２】
次に、図２は本実施形態による撮像装置１００の構成例を示すブロック図である。図２において、撮影レンズ２０１は本体から取り外して交換可能に構成され、撮像部２０２は光学像を電気信号に変換するＣＣＤやＣＭＯＳなどの撮像素子等で構成される。Ａ／Ｄ変換器２０３は撮像部２０２から出力されるアナログ信号をデジタル信号に変換する。
【００１３】
Ａ／Ｄ変換器２０３の出力データは、メモリ制御部２０４を介してメモリ２０５に書き込まれる。メモリ２０５は、撮像部２０２によって得られＡ／Ｄ変換器２０３によりデジタルに変換された画像データや、表示部２０６に表示するための画像データを格納する。メモリ２０５は、所定枚数の静止画像や所定時間の動画像および音声を格納するのに十分な記憶容量を備えている。
【００１４】
また、メモリ２０５は画像表示用のビデオメモリを兼ねている。表示部２０６はＥＶＦ上に表示を行う。操作部２０７は表示部２０６の設定を調整することができる。システム制御部２０８は撮像装置１００全体を制御する。記録媒体２０９は、メモリカード等の記録媒体であり、半導体メモリや磁気ディスク等から構成される。
【００１５】
電源制御部２１０は、電池検出回路、ＤＣ−ＤＣコンバータ、通電するブロックを切り替えるスイッチ回路等により構成され、電池の装着の有無、電池の種類、電池残量の検出を行う。また、電源制御部２１０は、その検出結果及びシステム制御部２０８の指示に基づいてＤＣ−ＤＣコンバータを制御し、必要な電圧を必要な期間、各部へ供給する。電源部２１１は、アルカリ電池やリチウム電池等の一次電池やＮｉＣｄ電池やＮｉＭＨ電池、Ｌｉ電池等の二次電池、ＡＣアダプター等からなる。
【００１６】
次に、図３を用いて、電子ビューファインダ装置１０３の詳細形状について説明する。図３（ａ）において、ミラーボックス（ミラー保持部）３０１は、その内部に形成された面にミラー（不図示）が固定されている。電子ビューファインダ装置１０３は、撮像装置本体１０１に対して回転可能なヒンジ（不図示）を介して回動可能に取り付けられている。
【００１７】
ミラーボックス３０１には、第１のヒンジ部３０２と第２のヒンジ３０３が搭載されている。第１のヒンジ部３０２は２軸ヒンジにより構成され、ミラーボックス３０１と撮像した映像を表示する表示部３０４とを接続している。第１のヒンジ部３０２により、表示部３０４をミラーボックス３０１に対して開閉可能に接続するとともに、表示部３０４を開いた状態で左右に回転可能に接続することができる。また、第１のヒンジ部３０２は表示部３０４の長辺側に略平行に取り付けられている。
【００１８】
第２のヒンジ部３０３は１軸ヒンジにより構成され、レンズ鏡筒３０５をミラーボックス３０１に対して開閉可能に接続する。また、第１のヒンジ部３０２と第２のヒンジ部３０３は、表示部３０４を挟んで平行に配置されている。レンズ鏡筒３０５は、レンズ３０６を保持し、先端にはアイカップ３０７が取り付けられている。ロックノブ３０８は、表示部３０４が閉じられた状態において、その動作を規制する。
【００１９】
図３（ｂ）において、使用者が操作ダイヤル３０９を操作することにより表示部３０４に表示される画像の輝度や色味を調整することができる。
【００２０】
次に、図４を用いて、電子ビューファインダ１０３の内部構造について説明する。図４は、電子ビューファインダ装置１０３の断面図である。ミラー４０１は、表示部３０４に配置された表示パネル４０２に表示された映像を反射させて光路を直角に折り曲げる。そして、レンズ３０６により倍率を変更し、使用者が視認することができる。
【００２１】
次に、図５、図６を用いて、電子ビューファインダ１０３の使用形態について説明する。図５（ａ）は、第１の使用形態である『接眼モード』を示した図である。図５（ａ）では表示部３０４が閉じた状態であり、レンズ鏡筒３０５も閉じた状態である。この状態で撮影者がアイカップに接眼することにより、表示部３０４に表示された映像がミラー４０１で反射し、レンズ鏡筒３０５に内蔵されるレンズ３０６により倍率が変更された映像を視認することができる。
【００２２】
図５（ｂ）は、第２の使用形態である『モニタ視認モード』を示した図である。図５（ｂ）では表示部３０４が開いた状態であり、レンズ鏡筒３０５は閉じた状態である。この状態では、正面から表示部３０４を直視することが可能となり、更には、複数人で視認する場合においても表示部３０４を視認することができる。
【００２３】
さらに、図５（ｃ）に示すように、２軸ヒンジである第１のヒンジ部３０２を介して表示部３０４が開いた状態で表示部３０４を自由に回転動作させることができる。ここでは、時計回りに９０°回転した状態を示している。このように第１のヒンジ部３０２を２軸にすることにより、撮像装置本体１０１の側面からでも表示部３０４を視認することができる。
【００２４】
図６は、第３の使用形態である『ミラー視認モード』を示した図である。図６では表示部３０４を閉じた状態であり、レンズ鏡筒３０５は開いた状態である。この状態で表示部３０４に映し出されミラー４０１により反射した映像を使用者が視認することができる。
【００２５】
図７を用いて表示部３０４を固定するために第１の位置と第２の位置の間を移動可能なロックノブについて説明する。図７（ａ）は、ロックノブ３０８が第１の位置にある状態を示している。図７（ｂ）は、ロックノブ３０８が第２の位置にある状態を示している。第１の位置ではロックノブ３０８により表示部３０４の位置は固定されている。また、第２の位置ではロックノブ３０８により表示部３０４は固定されていないため、第１のヒンジ部３０２を軸として表示部３０４が開閉および回転可能となる。
【００２６】
以上説明したように、本発明の実施形態によれば、表示部に接続された前記第１のヒンジ３０２を開き、回動することにより、複数人で映像を視認することができる。また、上記説明した『接眼モード』『ミラー視認モード』『モニタ視認モード』の３つのモードで撮影を行うことができる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２８】
１００  撮像装置
１０１  撮像装置本体
１０２  撮像レンズ
１０３  電子ビューファインダ装置
３０１  ミラーボックス
３０２  第１のヒンジ部
３０３  第２のヒンジ部
３０４  表示部
３０５  レンズ鏡筒
３０６  レンズ
３０７  アイカップ
３０８  ロックノブ
４０１  ミラー
４０２  表示パネル
【図１】
2016086243.tif 000003
【図２】
2016086243.tif 000004
【図３】
2016086243.tif 000005
【図４】
2016086243.tif 000006
【図５】
2016086243.tif 000007
【図６】
2016086243.tif 000008
【図７】
2016086243.tif 000009